(57)【要約】【課題】フランジ部が薄いレンズであっても、レンズを確実に掴むことができ、レンズの出し入れを容易に行うことができるトレーを提供する。【解決手段】レンズ３００を収容するトレー１であって、トレー本体１０を備え、トレー本体１０には、当該トレー本体１０の上面１０１から下面１０２側に向けて窪み、レンズ３００が収容される収容部１１が形成されている。収容部１１は、レンズ３００のフランジ部３０１が当接される当接面１２１を有し、トレー本体１０の収容部１１の周囲に、当該トレー本体１０の上面１０１から下面１０２側に向けて窪み、かつ、当接面１２１よりも下方に窪む凹部１４が複数形成されている。【選択図】図３
2013233969.tif 000002
【特許請求の範囲】
【請求項１】
光学部品を収容するトレーであって、
トレー本体を備え、
前記トレー本体には、当該トレー本体の上面から下面側に向けて窪み、前記光学部品が収容される収容部が形成され、
前記収容部は、前記光学部品のフランジ部が当接される当接面を有し、
前記トレー本体の前記収容部の周囲に、当該トレー本体の上面から下面側に向けて窪み、かつ、前記当接面よりも下方に窪む凹部が複数形成されていることを特徴とするトレー。
【請求項２】
前記凹部は、前記トレー本体の上面から前記当接面の一部を貫通して形成されていることを特徴とする請求項１に記載のトレー。
【請求項３】
前記凹部の深さは、前記フランジ部の厚さの２〜１０倍の深さであることを特徴とする請求項１又は２に記載のトレー。
【発明の詳細な説明】
【技術分野】
【０００１】
本発明は、トレーに関する。
【背景技術】
【０００２】
従来、レンズなどの光学部品は、例えば、第１ケース体と第２ケース体とを重ね合わせることによって構成される収容容器内に収容される（例えば、特許文献１参照）。
このような収容容器内へのレンズの出し入れは、ピンセット等を使用して手作業で行っている。上記特許文献１では、製品保持部に連通する側溝部を設けることによって、レンズの製品保持部に対する出し入れを容易に行うことができるようになっている。
【先行技術文献】
【特許文献】
【０００３】
【特許文献１】特許第４０６４０５１号
【発明の概要】
【発明が解決しようとする課題】
【０００４】
しかしながら、上記特許文献１では、側溝部を設けてレンズの出し入れを容易にしているが、レンズのフランジ部が薄い場合には、ピンセットの先端でしかフランジ部に接触させることができない。そのため、収容容器へのレンズの出し入れが非常に困難となる。
本発明は、上記事情に鑑みてなされたもので、フランジ部が薄いレンズであっても、レンズを確実に掴むことができ、レンズの出し入れを容易に行うことができるトレーを提供することを目的としている。
【課題を解決するための手段】
【０００５】
請求項１の発明によれば、光学部品を収容するトレーであって、
トレー本体を備え、
前記トレー本体には、当該トレー本体の上面から下面側に向けて窪み、前記光学部品が収容される収容部が形成され、
前記収容部は、前記光学部品のフランジ部が当接される当接面を有し、
前記トレー本体の前記収容部の周囲に、当該トレー本体の上面から下面側に向けて窪み、かつ、前記当接面よりも下方に窪む凹部が複数形成されていることを特徴とするトレーが提供される。
【０００６】
請求項２の発明によれば、前記凹部は、前記トレー本体の上面から前記当接面の一部を貫通して形成されていることを特徴とする請求項１に記載のトレーが提供される。
【０００７】
請求項３の発明によれば、前記凹部の深さは、前記フランジ部の厚さの２〜１０倍の深さであることを特徴とする請求項１又は２に記載のトレーが提供される。
【発明の効果】
【０００８】
本発明によれば、フランジ部が薄いレンズであっても、レンズを確実に掴むことができ、レンズの出し入れを容易に行うことができるトレーを提供することができる。
【図面の簡単な説明】
【０００９】
【図１】第１の実施形態におけるトレーの上面図である。
【図２】図１の一部を示した拡大図である。
【図３】図２の切断線I−Iに沿って切断した際の矢視断面図である。
【図４】第１の実施形態における蓋の下面図である。
【図５】図４の切断線II−IIに沿って切断した際の矢視断面図である。
【図６】第２の実施形態におけるトレーの上面図である。
【図７】図６の一部を示した拡大図である。
【図８】図７の切断線III−IIIに沿って切断した際の矢視断面図である。
【図９】第２の実施形態における蓋の下面図である。
【図１０】図９の切断線IV−IVに沿って切断した際の矢視断面図である。
【発明を実施するための形態】
【００１０】
以下、本発明の実施形態について図面を参照して説明する。なお、本願において、「〜」は、その前後に記載されている数値を下限値及び上限値として含む意味で使用する。
［第１の実施形態］
図１は、トレーの上面図、図２は、図１の一部を示した拡大図、図３は、図２の切断線I−Iに沿って切断した際の矢視断面図、図４は、蓋の下面図、図５は、図４の切断線II−IIに沿って切断した際の矢視断面図である。
図１〜図５に示すように、収容容器は、トレー１と、トレー１に重ね合わせられる蓋２と、を備えている。トレー１及び蓋２は、光学部品を傷付けにくく、軽量化、安価の観点から樹脂製とすることが好ましいが、金属製や木製としても構わない。光学部品としては、眼鏡用やカメラ用、撮像素子用、光ピックアップ装置用等のレンズが挙げられるが、特に光ピックアップ装置用のレンズが好適である。
【００１１】
以下の本実施形態では、フランジ部３０１と、当該フランジ部３０１の下面に凸状に形成された凸レンズ面３０２と、フランジ部３０１の上面に凹状に形成された凹レンズ面３０３と、を有するレンズ３００を例に挙げて説明するが、レンズ面の形状はこれに限定されるものではない。
【００１２】
図１〜図３に示すように、トレー１は、レンズ３００が載置されるトレー本体１０を備えている。トレー本体１０は、平面視矩形状の板状部材である。トレー本体１０には、トレー本体１０の上面１０１（蓋２との重ね合わせ面）から下面１０２側に向けて窪む平面視円形状の複数の収容部１１が形成されている。
収容部１１は、トレー本体１０の縦方向及び横方向において格子状に整列して並んでいる。収容部１１は、平面視円形状でなくても、その他、四角形状等であっても良い。このような各収容部１１には、それぞれレンズ３００が収容されるようになっている。
収容部１１は、トレー本体１０の上面１０１から下面１０２側に向けて一段窪んで形成され、レンズ３００のフランジ部３０１が収容される第１収容室１２と、第１収容室１２の底面からさらに下面１０２側に向けて一段窪んで形成され、レンズ３００の下側の凸レンズ面３０２が収容される第２収容室１３と、を備えている。
【００１３】
第１収容室１２を形成する底面は、レンズ３００のフランジ部３０１が当接する当接面１２１とされ、当接面１２１にレンズ３００のフランジ部３０１が当接することによってレンズ３００が保持されるようになっている（図３参照）。
第２収容室１３は、第１収容室１２の中央に設けられている。第２収容室１３の径は、収容されたレンズ３００の凸レンズ面３０２が、第２収容室１３を形成する内壁面に接触しないように設計されており、凸レンズ面３０２の傷や汚れを防止している。
【００１４】
収容部１１の周囲には、トレー本体１０の上面１０１から下面１０２側に向けて窪み、かつ、前記当接面１２１よりも下方に窪む凹部１４が形成されている。詳細には、凹部１４は、トレー本体１０の上面１０１から当接面１２１の一部を貫通して下方に窪んでいる。
このような凹部１４は、１つの収容部１１の外周において互いに対向する位置に、２つ配置されている。
凹部１４は、平面視円形状をなしているが、その他、平面視楕円形状や四角形状等であっても良い。
凹部１４には、レンズ２００の出し入れを行う際のピンセット４００の先端部４０１が差し込まれるようになっている。したがって、収容部１１の周囲において、互いに対向する位置に形成された２つの凹部１４に、ピンセット４００の各先端部４０１が差し込まれて、ピンセット４００の腹部４０２でレンズ３００のフランジ部３０１が挟持されるようになっている。
【００１５】
凹部１４の深さＨは、レンズ３００のフランジ部３０１の厚さＭの２〜１０倍が好ましい。具体的には、レンズ３００のフランジ部３０１の厚さＭが０．４ｍｍの場合には、凹部１４の深さＨは２倍、０．３ｍｍの場合には２．５倍、０．２ｍｍの場合には５倍、０．１ｍｍの場合には１０倍とすることが、ピンセット４００で確実にレンズ３００のフランジ部３０１を挟持することができる点で好ましい。
なお、凹部１４は、図３では、トレー本体１０の下面１０２に貫通していないが、レンズ３００のフランジ部３０１の厚さＭによっては、トレー本体１０の下面１０２を貫通していても良い。
【００１６】
トレー本体１０の各コーナー部及び中心部には、トレー１を他の装置（図示しない）に対して位置決めすると同時に、蓋２に対して固定するための穴１５が上下面を貫通して形成されている。固定手段としては、ネジ止め等が挙げられる。
【００１７】
図４及び図５に示すように、蓋２は、平面視矩形状の板状部材である。
蓋２の各コーナー部及び中心部には、蓋２を他の装置（図示しない）に対して位置決めすると同時に、トレー本体１０に対して固定するための穴２５が上下面を貫通して形成されている。
【００１８】
以上、本発明の第１の実施形態によれば、トレー本体１０には、当該トレー本体１０の上面１０１から下面１０２側に窪み、レンズ３００が収容される収容部１１が形成され、収容部１１は、レンズ３００のフランジ部３０１が当接される当接面１２１を有し、トレー本体１０の収容部１１の周囲に、前記当接面１２１よりも下方に窪む凹部１４が複数形成されているので、複数の凹部１４にピンセット４００の各先端部４０１を差し込んで、収容部１１に収容されたレンズ３００のフランジ部３０１をピンセット４００の腹部４０２で掴むことができる。すなわち、レンズ３００のフランジ部３０１の厚さＭが薄い場合であっても、ピンセット４００の先端部４０１ではなく腹部４０２で掴むことができるので、レンズ３００を安定した状態で確実に掴んで、トレー１への出し入れを容易に行うことができる。
また、凹部１４は、トレー本体１０の上面１０１から当接面１２１の一部を貫通して形成されているので、収容部１１に収容されて当接面１２１に当接されているレンズ３００のフランジ部３０１をピンセット４００の腹部４０２で確実に掴むことができる。
【００１９】
［第２の実施形態］
図６は、トレーの上面図、図７は、図６の一部を示した拡大図、図８は、図７の切断線III−IIIに沿って切断した際の矢視断面図、図９は、蓋の下面図、図１０は、図９の切断線IV−IVに沿って切断した際の矢視断面図である。
第２の実施形態では、第１の実施形態のように、単にレンズ３００を収容しておく収容容器とは異なり、レンズ３００の下側の凸レンズ面３０２及び上側の凹レンズ面３０３にコート処理を施す際に使用する収容容器である。
図６〜図１０に示すように、コート処理用の収容容器（コートヤトイ）は、トレー１Ａと、トレー１Ａに重ね合わせられる蓋２Ａと、を備えている。
【００２０】
図６〜図８に示すように、トレー１Ａは、レンズ３００が載置されるトレー本体１０Ａを備えている。トレー本体１０Ａは、平面視矩形状の板状部材である。トレー本体１０Ａには、トレー本体１０Ａの上面１０１Ａ（蓋２Ａとの重ね合わせ面）から下面１０２Ａ側に向けて窪む平面視円形状の複数の収容部１１Ａが形成されている。
【００２１】
収容部１１Ａは、トレー本体１０Ａの縦方向及び横方向において格子状に整列して並んでいる。収容部１１Ａは、平面視円形状でなくても、その他、四角形状等であっても良い。このような収容部１１Ａには、それぞれレンズ３００が収容されるようになっている。
収容部１１Ａは、トレー本体１０Ａの上面１０１Ａから下面１０２Ａ側に向けて一段窪んで形成され、レンズ３００のフランジ部３０１が収容される第１収容室１２Ａと、第１収容室１２Ａの底面からさらにトレー本体１０Ａの下面１０２Ａを貫通して形成され、レンズ３００の下側の凸レンズ面３０２が収容される第２収容室１３Ａと、を備えている。
【００２２】
第１収容室１２を形成する底面は、レンズ３００のフランジ部３０１が当接する当接面１２１Ａとされ、当接面１２１Ａにレンズ３００のフランジ部３０１が当接することによってレンズ３００が保持されるようになっている。
第２収容室１３Ａは、第１収容室１２Ａの中央に設けられている。第２収容室１３Ａの径は、収容されたレンズ３００の凸レンズ面３０２が、第２収容室１３Ａを形成する内壁面に接触しないように設計され、トレー本体１０Ａの下面１０２Ａに向けて徐々に大きく形成されている。
また、第２収容室１３Ａは、トレー本体１０Ａの下面１０２Ａを貫通している。このような第２収容室１３Ａに収容された凸レンズ面３０２は、トレー本体１０Ａの下面１０２Ａ側からコート処理が施されるようになっている。
【００２３】
収容部１１Ａの周囲には、第１の実施形態と同様に、トレー本体１０Ａの上面１０１Ａから下面１０２Ａ側に向けて窪み、かつ、当接面１２１Ａよりも下方に窪む凹部１４Ａが形成されている。詳細には、凹部１４Ａは、トレー本体１０Ａの上面１０１Ａから当接面１２１Ａの一部を貫通して下方に窪んでいる。
このような凹部１４Ａは、１つの収容部１１Ａの周囲において互いに対向する位置に、２つ配置され、平面視円形状をなしている。その他、四角形状等であっても良い。凹部１４Ａには、レンズ３００の出し入れを行う際のピンセット４００の先端部４０１が差し込まれるようになっている。
したがって、収容部１１Ａの周囲において、互いに対向する位置に形成された２つの凹部１４Ａにピンセット４００の各先端部４０１が差し込まれて、ピンセット４００の腹部４０２でレンズ３００のフランジ部３０１が挟持されるようになっている。
【００２４】
凹部１４Ａの深さｈは、レンズ３００のフランジ部３０１を確実にピンセット４００の腹部４０２で挟持することができる点で、レンズ３００のフランジ部３０１の厚さｍの２〜１０倍が好ましい。
なお、凹部１４Ａは、図８では、トレー本体１０Ａの下面１０２Ａに貫通していないが、レンズ３００のフランジ部３０１の厚さｍによっては、トレー本体１０Ａの下面１０２Ａを貫通していても良い。
【００２５】
トレー本体１０Ａの各コーナー部及び中心部には、トレー１Ａを他の装置（図示しない）に対して位置決めすると同時に、蓋２Ａに対して固定するための穴１５Ａが上下面を貫通して形成されている。
【００２６】
図９〜図１０に示すように、蓋２Ａは、平面視矩形状の板状部材である。
蓋２Ａには、蓋２Ａの下面２０２Ａ（トレー１Ａとの重ね合わせ面）から上面２０１Ａ側に向けて貫通する平面視円形状の複数の貫通穴２１Ａが形成されている。
各貫通穴２１Ａは、蓋２Ａの縦方向及び横方向において格子状に整列して並んでおり、トレー１Ａに形成された各収容部１１Ａに対応する位置にそれぞれ形成されている。貫通穴２１Ａは、平面視円形状でなくても、その他、四角形状等であっても良い。このような貫通穴２１Ａに、トレー１Ａと蓋２Ａとを重ね合わせた際に、トレー１Ａに収容されたレンズ３００の上側の凹レンズ面３０３が露出されるようになっている。
貫通穴２１Ａの径は、収容されたレンズ３００の上側の凹レンズ面３０３が、貫通穴２１Ａを形成する内壁面に接触しないように設計されており、また、蓋２Ａの下面２０２Ａから上面２０１Ａに向けて徐々に大きくなっている。このような貫通穴２１Ａから露出する凹レンズ面３０３は、蓋２Ａの上面２０１Ａ側からコート処理が施されるようになっている。
また、蓋２Ａの各コーナー部及び中心部には、蓋２Ａを他の装置（図示しない）に対して位置決めと同時に、トレー本体１Ａに対して固定するするための穴２５Ａが上下面を貫通して形成されている。
【００２７】
以上、本発明の第２の実施形態によれば、第１の実施形態と同様に、レンズ３００のフランジ部３０１の厚さＭが薄い場合であっても、ピンセット４００の先端部４０１ではなく腹部４０２で掴むことができるので、レンズ３００を安定した状態で掴んで、トレー１Ａへの出し入れを容易に行うことができる。
また、トレー１Ａの収容部１０１Ａは、トレー本体１０Ａの下面１０２Ａを貫通して形成されており、蓋２Ａには、蓋２Ａの下面２０２Ａから上面２０１Ａ側に向けて貫通する貫通穴２１Ａが形成されているので、収容部１０１Ａ及び貫通穴２１Ａを介して、収容されたレンズ３００の下側の凸レンズ面３０２及び上側の凹レンズ面３０３のコート処理を施すことができる。
【００２８】
なお、本発明は、上記実施形態に限定されるものではなく、その要旨を逸脱しない範囲で適宜変更可能である。
【符号の説明】
【００２９】
１、１Ａ  トレー
１０、１０Ａ  トレー本体
１１、１１Ａ  収容部
１４、１４Ａ  凹部
１０１、１０１Ａ  上面
１０２、１０２Ａ  下面
１２１、１２１Ａ  当接面
３００  レンズ
３０１  フランジ部
Ｈ、ｈ  深さ
Ｍ、ｍ  厚さ
【図１】
2013233969.tif 000003
【図２】
2013233969.tif 000004
【図３】
2013233969.tif 000005
【図４】
2013233969.tif 000006
【図５】
2013233969.tif 000007
【図６】
2013233969.tif 000008
【図７】
2013233969.tif 000009
【図８】
2013233969.tif 000010
【図９】
2013233969.tif 000011
【図１０】
2013233969.tif 000012